(57)【要約】【課題】従来技術においては、例えば、停電時の運転の点でさらなる改善の余地がある。【解決手段】実施形態のエレベータシステムは、エレベータと、制御装置とを備える。制御装置は、動力用電源の健全時の通常運転と、前記動力用電源の停電時に建物側蓄電装置からの電力によって前記エレベータを定格速度で運転する停電時運転とを切り替えて実行可能である。前記制御装置は、前記停電時運転として、停電時制限無し運転と停電時制限有り運転とを切り替えて実行可能である。停電時制限無し運転は、前記動力用電源が停電した後、停電時運転可能最低時間経過前の期間に前記通常運転と同等の運転を行うものである。停電時制限有り運転は、前記停電時運転可能最低時間経過後でかつ残存蓄電量が運転可能蓄電量以上である場合に前記エレベータの停止可能階床を制限して運転するものである。【選択図】図１
2015013735.tif 000002
【特許請求の範囲】
【請求項１】
動力用電源からの電力と、建物の電気設備を作動させる電力を蓄電可能である建物側蓄電装置からの電力とによって運転可能であるエレベータと、
前記動力用電源の健全時に前記エレベータを定格速度で運転する通常運転と、前記動力用電源の停電時に前記建物側蓄電装置からの電力によって前記エレベータを定格速度で運転する停電時運転とを切り替えて実行可能である制御装置とを備え、
前記制御装置は、前記停電時運転として、前記動力用電源が停電した後、当該動力用電源の停電時の前記建物側蓄電装置の残存蓄電量に基づいた停電時運転可能最低時間経過前の期間に前記通常運転と同等の運転を行う停電時制限無し運転と、前記停電時運転可能最低時間経過後でかつ前記建物側蓄電装置の残存蓄電量が運転可能蓄電量以上である場合に前記停電時制限無し運転と比較して前記エレベータの停止可能階床を制限して運転する停電時制限有り運転とを切り替えて実行可能であることを特徴とする、
エレベータシステム。
【請求項２】
前記制御装置は、前記動力用電源の停電時の前記建物側蓄電装置の残存蓄電量と、当該動力用電源の停電後に予測される前記建物の電気設備での消費電力量と、前記エレベータの前記停電時制限無し運転での消費電力量とに基づいて前記停電時運転可能最低時間を算出する、
請求項１に記載のエレベータシステム。
【請求項３】
前記制御装置は、前記停電時制限有り運転では、前記停止可能階床以外へのカゴ呼び、前記停止可能階床以外での乗場呼び、及び、前記停止可能階床での所定方向以外の乗場呼びを無効とする、
請求項１又は請求項２に記載のエレベータシステム。
【請求項４】
前記制御装置は、前記動力用電源の停電時に、前記建物側蓄電装置とは別に設けられ前記エレベータを作動させる電力を蓄電可能であるエレベータ側蓄電装置からの電力によって当該エレベータを定格速度より低速で運転する停電時継続運転を実行可能であり、
前記停電時継続運転として、前記建物側蓄電装置の残存蓄電量が運転可能蓄電量未満となった後、当該建物側蓄電装置の残存蓄電量が運転可能蓄電量未満となった時の前記エレベータ側蓄電装置の残存蓄電量に基づいた停電時継続運転可能最低時間経過前の期間に停止可能階床を制限しないで運転する停電時継続制限無し運転と、前記停電時継続運転可能最低時間経過後でかつ前記エレベータ側蓄電装置の残存蓄電量が運転可能蓄電量以上である場合に前記停電時継続制限無し運転と比較して前記エレベータの停止可能階床を制限して運転する停電時継続制限有り運転とを切り替えて実行可能である、
請求項１乃至請求項３のいずれか１項に記載のエレベータシステム。
【請求項５】
前記制御装置は、前記動力用電源の停電後から前記停電時運転が作動するまでの期間に前記停電時継続運転を実行可能である、
請求項４に記載のエレベータシステム。
【発明の詳細な説明】
【技術分野】
【０００１】
本発明の実施形態は、エレベータシステムに関する。
【背景技術】
【０００２】
従来、エレベータシステムは、昇降路内を乗りかご（カゴ）が移動することにより、乗りかごを任意の階床に移動させる。このようなエレベータシステムは、停電時にバッテリの電力を用いて、乗りかごを運転する制御を実行する場合がある。
【先行技術文献】
【特許文献】
【０００３】
【特許文献１】特開２００２−２９６６９号公報
【発明の概要】
【発明が解決しようとする課題】
【０００４】
ところで、従来技術においては、例えば、停電時の運転の点でさらなる改善の余地がある。
【課題を解決するための手段】
【０００５】
実施形態のエレベータシステムは、エレベータと、制御装置とを備える。エレベータは、動力用電源からの電力と、建物の電気設備を作動させる電力を蓄電可能である建物側蓄電装置からの電力とによって運転可能である。制御装置は、前記動力用電源の健全時に前記エレベータを定格速度で運転する通常運転と、前記動力用電源の停電時に前記建物側蓄電装置からの電力によって前記エレベータを定格速度で運転する停電時運転とを切り替えて実行可能である。前記制御装置は、前記停電時運転として、停電時制限無し運転と停電時制限有り運転とを切り替えて実行可能である。停電時制限無し運転は、前記動力用電源が停電した後、当該動力用電源の停電時の前記建物側蓄電装置の残存蓄電量に基づいた停電時運転可能最低時間経過前の期間に前記通常運転と同等の運転を行うものである。停電時制限有り運転は、前記停電時運転可能最低時間経過後でかつ前記建物側蓄電装置の残存蓄電量が運転可能蓄電量以上である場合に前記停電時制限無し運転と比較して前記エレベータの停止可能階床を制限して運転するものである。
【図面の簡単な説明】
【０００６】
【図１】図１は、実施形態に係るエレベータシステムの概略構成例を示すブロック図である。
【図２】図２は、実施形態に係るエレベータシステムの通常運転、停電時運転、及び、停電時継続運転の一例を説明する線図である。
【図３】図３は、実施形態に係るエレベータシステムにおける制御の一例を説明するフローチャートである。
【発明を実施するための形態】
【０００７】
［実施形態］
図１は、実施形態に係るエレベータシステムの概略構成例を示すブロック図である。図２は、実施形態に係るエレベータシステムの通常運転、停電時運転、及び、停電時継続運転の一例を説明する線図である。図３は、実施形態に係るエレベータシステムにおける制御の一例を説明するフローチャートである。
【０００８】
本実施形態のエレベータシステム１Ａは、図１に示すように、エレベータ１と、制御装置１０とを備え、典型的には、停電状態においても種々の蓄電装置を用いて、サービスを継続することができるエレベータ電源バックアップシステムである。本実施形態のエレベータシステム１Ａは、停電状態において、当該エレベータシステム１Ａが適用される建物１００に設けられる建物側蓄電装置としての建物側バッテリ１０２を用いて、停電時運転を実行可能である。またさらに、このエレベータシステム１Ａは、停電状態において、停電時継続運転装置を構成するエレベータ側蓄電装置としてのエレベータ側バッテリ１２を用いて、停電時継続運転を実行可能である。
【０００９】
具体的には、エレベータ１は、動力用電源５０からの電力と、建物１００の電気設備１０１を作動させる電力を蓄電可能である建物側バッテリ１０２からの電力とによって運転可能である。また、エレベータ１は、動力用電源５０の停電時には、建物側バッテリ１０２、又は、エレベータ側バッテリ１２からの電力によって運転可能である。この場合、エレベータ１は、例えば、建物側バッテリ１０２の電力を優先して利用して運転を行うようにすることができる。
【００１０】
エレベータ１は、カゴ２、カウンタウェイト３、メインロープ４、巻上機５等を含んで構成される。エレベータ１は、カゴ２とカウンタウェイト３とをメインロープ４で連結したいわゆるつるべ式のエレベータである。エレベータ１は、乗場６が設けられる。
【００１１】
カゴ２は、建物１００に設けられた昇降路７を昇降可能である。カゴ２は、カゴ呼び登録装置８、荷重検出器２ａ等を含んで構成される。カゴ呼び登録装置８は、カゴ２の内部に設けられる。カゴ呼び登録装置８は、利用者による操作入力に応じていわゆるカゴ呼び登録等を行う。荷重検出器２ａは、カゴ２内の積載荷重を検出する。
【００１２】
カウンタウェイト３は、カゴ２に対するつり合おもりである。
【００１３】
メインロープ４は、昇降路７の上部（あるいは機械室等）に設けられた巻上機５のメインシーブ５ａやそらせシーブ５ｂ等に掛けられる。メインロープ４は、一端にカゴ２が接続され、他端にカウンタウェイト３が接続される。
【００１４】
巻上機５は、例えば、動力を発生させる電動機（モータ）５ｃを有する。電動機５ｃは、動力用電源５０、建物側バッテリ１０２、エレベータ側バッテリ１２等から電力が供給される。巻上機５は、電動機５ｃが駆動することで、この電動機５ｃに連結されたメインシーブ５ａが回転駆動する。そして、巻上機５は、メインシーブ５ａとメインロープ４との間に生じる摩擦力を利用してメインロープ４を電動で巻き上げる。また、電動機５ｃは、回生発電も可能である。つまり、この電動機５ｃは、いわゆる回転電機であり、供給された電力を機械的動力に変換する電動機としての機能（力行機能）と、入力された機械的動力を電力に変換する発電機としての機能（回生機能）とを兼ね備えている。
【００１５】
乗場６は、建物１００において、カゴ２が着床可能な各エレベータ停止階床に設けられる。各乗場６は、乗場呼び登録装置９等を含んで構成される。乗場呼び登録装置９は、利用者による操作入力に応じていわゆる乗場呼び登録等を行う。
【００１６】
制御装置１０は、運転制御装置１１、エレベータ側バッテリ１２、電源制御装置１３等を含んで構成される。
【００１７】
運転制御装置１１は、通常の形式の双方向コモン・バスにより相互に連結されたＣＰＵ（中央演算処理装置）、ＲＯＭ、ＲＡＭ、バックアップＲＡＭ及び入出力ポート装置を有するマイクロコンピュータ及び駆動回路を備えている。ＲＯＭ（Ｒｅａｄ  Ｏｎｌｙ  Ｍｅｍｏｒｙ）は、所定の制御プログラム等を予め記憶している。ＲＡＭ（Ｒａｎｄｏｍ  Ａｃｃｅｓｓ  Ｍｅｍｏｒｙ）は、ＣＰＵの演算結果を一時記憶する。バックアップＲＡＭは、予め用意されたマップデータ、対応するエレベータ１の仕様等の情報を記憶する。運転制御装置１１は、種々のセンサ、検出器、荷重検出器２ａ、カゴ呼び登録装置８、乗場呼び登録装置９、電源制御装置１３等のエレベータ１の各部と電気的に接続される。運転制御装置１１は、エレベータ１の各部の動作を統括的に制御する。運転制御装置１１は、例えば、カゴ呼び登録装置８、乗場呼び登録装置９等への利用者からの操作入力に応じて、巻上機５の駆動を制御し、カゴ２を昇降路７内で昇降させる。これにより、エレベータ１は、カゴ２を呼び登録に応じて指定された目的階に移動させることができる。
【００１８】
ここで、本実施形態のエレベータ１は、上述したように、動力用電源５０や建物側バッテリ１０２から電力が供給されると共に、ここではさらにエレベータ側バッテリ１２が設けられる。
【００１９】
動力用電源５０は、主にエレベータ１の通常運転時に利用される主電源である。動力用電源５０は、典型的にはいわゆる商用電源（三相交流電源）等が用いられるが、例えば、自家発電機器等を用いてもよい。この動力用電源５０は、建物１００の電気設備１０１を作動させるための電源としても用いられる。
【００２０】
ここで、建物１００の電気設備１０１は、建物１００に設置され、電力が供給されることで作動する種々の電気機器を含む。電気設備１０１としては、例えば、建物１００の照明機器、上下水道ポンプ、各種セキュリティ機器、空調機器、機械駐車場駆動装置、医療機器等のうち少なくとも１つを含んでいてもよい。
【００２１】
建物側バッテリ１０２は、エレベータ１や建物１００の電気設備１０１を作動させる電力を蓄電可能である。建物側バッテリ１０２は、例えば、建物１００の機械室、防災センタ等に設けられる。建物側バッテリ１０２は、動力用電源５０の健全時、及び、当該動力用電源５０からの電力供給が停止した停電時の双方で用いられる電源である。建物側バッテリ１０２は、典型的にはいわゆる蓄電池（二次電池）等が用いられる。建物側バッテリ１０２は、典型的には、動力用電源５０からの電力が供給されて充電される。建物側バッテリ１０２は、電流計１０２ａ、電圧計１０２ｂが設けられている。電流計１０２ａ、電圧計１０２ｂは、電源制御装置１３等を介して運転制御装置１１にそれぞれ検出値を送信することができる。
【００２２】
一方、エレベータ側バッテリ１２は、主に動力用電源５０からの電力供給が停止した停電時に利用される非常用の補助電源であり、動力用電源５０の停電時にエレベータ１を運転するための電源である。エレベータ側バッテリ１２は、建物側バッテリ１０２とは別に設けられエレベータ１を作動させる電力を蓄電可能である。エレベータ側バッテリ１２は、典型的にはいわゆる蓄電池（二次電池）等が用いられる。エレベータ側バッテリ１２は、電流計１２ａ、電圧計１２ｂが設けられている。電流計１２ａ、電圧計１２ｂは、電源制御装置１３等を介して運転制御装置１１にそれぞれ検出値を送信することができる。なお、エレベータ側バッテリ１２は、主としてエレベータ１側で優先的に用いられるがこれに限らず、必要に応じて建物１００の電気設備１０１側で用いることも可能である。
【００２３】
電源制御装置１３は、建物側バッテリ１０２やエレベータ側バッテリ１２の充放電を制御するものである。電源制御装置１３は、運転制御装置１１、エレベータ側バッテリ１２、建物側バッテリ１０２が接続されると共に、動力用電源５０も接続される。電源制御装置１３は、例えば、コンバータ装置、平滑コンデンサ、インバータ装置等を含む電気回路を有している。コンバータ装置は、動力用電源５０から供給される交流を整流して直流に変換する。平滑コンデンサは、コンバータ装置で変換された直流を整流する。インバータ装置は、平滑コンデンサで平滑された直流を巻上機５の電動機５ｃ等で使用可能な交流に変換する。
【００２４】
また、電源制御装置１３は、動力用電源５０からの電力の供給状態に応じてエレベータ１を運転させる電力を適宜切り替えると共に、建物側バッテリ１０２、エレベータ側バッテリ１２の充放電制御を行うことが可能になっている。電源制御装置１３は、少なくとも動力用電源５０、建物側バッテリ１０２、エレベータ側バッテリ１２のいずれかから供給される電力を、エレベータ１を駆動させる電力として使用する。運転制御装置１１は、この電力を用いて各部を作動させ、エレベータ１を運転させる。電源制御装置１３は、例えば、後述するように、動力用電源５０が健全である通常運転時には、カゴ２の移動に使用する電力として、動力用電源５０から供給される電力を主に使用する。このとき、電源制御装置１３は、建物側バッテリ１０２に蓄電されている電力を、動力用電源５０からの電力をアシストする目的で利用することもできる。また、電源制御装置１３は、動力用電源５０の停電時には、カゴ２の移動に使用する電力として、建物側バッテリ１０２、あるいは、エレベータ側バッテリ１２から供給される電力を使用する。また、電源制御装置１３は、エレベータ１の通常運転時に動力用電源５０から供給される電力の一部、通常運転時、停電時のエレベータ１の回生運転時に電動機５ｃによって回生発電された回生電力を利用してエレベータ側バッテリ１２を充電することができる。電源制御装置１３は、通常運転時、停電時のエレベータ１の回生運転時に電動機５ｃによって回生発電された回生電力を利用して建物側バッテリ１０２を充電することも可能である。
【００２５】
上記のように構成されるエレベータシステム１Ａは、通常運転として、利用者によりカゴ呼び登録装置８、乗場呼び登録装置９等を介してカゴ２の呼び操作が行われた場合、下記のように動作する。すなわち、エレベータ１は、カゴ呼び登録装置８、乗場呼び登録装置９等から運転制御装置１１にこれに応じたカゴ呼び登録信号、乗場呼び登録信号が入力される。そして、エレベータ１は、運転制御装置１１がこのカゴ呼び登録信号、乗場呼び登録信号に応じてカゴ２のカゴ呼び登録、あるいは、乗場呼び登録を行う。そして、運転制御装置１１は、カゴ呼び登録、乗場呼び登録、種々のセンサ、検出器からの出力、カゴ２の現在の移動方向（昇降方向）等に基づいて、カゴ２が合理的に移動しながらそれぞれの呼びに応答するようにカゴ２の着床順序を定める。そして、運転制御装置１１は、巻上機５を駆動制御し、カゴ２を目的の階床へと移動させる。これにより、エレベータ１は、カゴ２が昇降路７内を鉛直方向上下に昇降移動し、任意の目的階の乗場６に移動する。そして、エレベータ１は、カゴ２が目的階の乗場６に着床し、所定の着床位置に着床したことが検出されると、その後、運転制御装置１１がカゴ２及び乗場６の扉１４を開放する。これにより、乗場６で待機している利用者は、カゴ２内に乗り込むことが可能となり、また、カゴ２内の利用者は乗場６に降りることが可能となる。
【００２６】
そして、本実施形態の制御装置１０の運転制御装置１１は、動力用電源５０の停電状態においても、建物側バッテリ１０２によって停電時運転を実行可能である。つまり、本実施形態の制御装置１０は、上記で説明した通常運転と、建物側バッテリ１０２を用いた停電時運転とを切り替えて実行可能である。
【００２７】
ここで、通常運転とは、上述のように動力用電源５０の健全時にエレベータ１を定格速度で運転する運転であり、主に動力用電源５０からの電力によってカゴ２を昇降させる運転である。なお、制御装置１０は、当該通常運転では、上述のようにさらに建物側バッテリ１０２の電力をアシスト電力として用いてもよい。制御装置１０は、通常運転時には、エレベータ１と当該エレベータ１が設けられる建物１００での電力使用状態とを連係させて、建物１００の全体で電力のマネージメントを効率的に行い、省エネルギでエレベータ１を運用する。
【００２８】
一方、停電時運転とは、通常運転とは異なる運転であり、動力用電源５０の停電時の運転である。停電時運転とは、動力用電源５０の停電時に建物側バッテリ１０２からの電力によってエレベータ１を定格速度で運転する運転であり、すなわち、建物側バッテリ１０２を用いてカゴ２を通常運転と同等の定格速度で昇降させる運転である。
【００２９】
より詳細には、制御装置１０の運転制御装置１１は、停電時運転として、停電時制限無し運転と、停電時制限有り運転とを切り替えて実行可能である。停電時制限無し運転とは、動力用電源５０が停電した後、当該動力用電源５０の停電時の建物側バッテリ１０２の残存蓄電量に基づいた停電時運転可能最低時間経過前の期間に通常運転と同等の運転を行うものである。一方、停電時制限有り運転とは、停電時運転可能最低時間経過後でかつ建物側バッテリ１０２の残存蓄電量が運転可能蓄電量以上である場合に上記停電時制限無し運転と比較してエレベータ１の停止可能階床を制限して運転するものである。
【００３０】
ここで、停電時運転可能最低時間とは、動力用電源５０の停電時の建物側バッテリ１０２の残存蓄電量によって、エレベータ１において定格速度で通常運転と同等の運転を継続することができる最低限の時間に相当する。運転制御装置１１は、典型的には、動力用電源５０の停電時の建物側バッテリ１０２の残存蓄電量と、当該動力用電源５０の停電後に予測される電気設備１０１での消費電力量と、エレベータ１の停電時制限無し運転での消費電力量とに基づいて停電時運転可能最低時間を算出することができる。この場合、運転制御装置１１は、例えば、動力用電源５０が停電した時点で、建物側バッテリ１０２の電流計１０２ａ、電圧計１０２ｂから電源制御装置１３等を介して検出結果を受信する。そして、運転制御装置１１は、当該検出結果に基づいて、建物側バッテリ１０２の電流値、電圧値から建物側バッテリ１０２の残存蓄電量を算出する。動力用電源５０の停電後に予測される電気設備１０１での消費電力量は、予め実験等に応じて算出しておき、運転制御装置１１の記憶部に記憶しておけばよい。また、運転制御装置１１は、通常運転時に電気設備１０１での消費電力量を監視、学習しておき、これに基づいて動力用電源５０の停電後に予測される電気設備１０１での消費電力量を推定してもよい。この場合、運転制御装置１１は、動力用電源５０の停電時に建物１００の最低限の機能を確保するための電気設備１０１（例えば、照明やセキュリティ等）の作動を維持できる程度の消費電力量を推定するようにしてもよい。エレベータ１の停電時制限無し運転での消費電力量は、予め実験等に応じて算出しておき、運転制御装置１１の記憶部に記憶しておけばよい。運転制御装置１１は、例えば、停電時制限無し運転を実行した場合に、建物側バッテリ１０２の残存蓄電量が予め設定される所定パーセンテージになるまでの時間を、停電時運転可能最低時間として算出する。当該所定パーセンテージは、例えば、建物側バッテリ１０２が満充電である状態を１００％とした場合に、運転可能蓄電量に対してマージン等を踏まえて設定されるパーセンテージである。また、上記運転可能蓄電量とは、残存蓄電量に対して設定される蓄電量であり、例えば、実験等に応じて予め設定される。運転可能蓄電量は、カゴ２が意図せず各階床の中間で停止してしまうことなく、所定の昇降行程の昇降を適正に完了するために必要な下限の蓄電量（言い換えれば、ラストランを可能とする最低限の蓄電量）に相当する。
【００３１】
運転制御装置１１は、動力用電源５０が停電した場合、電源制御装置１３の制御により電源系統が切り替えられて、通常運転から停電時運転に切り替える。このとき、運転制御装置１１は、上述のように停電時運転可能最低時間を算出し、停電時運転可能最低時間経過前の期間においては、定格速度で停電時制限無し運転を行う。すなわち、この場合、運転制御装置１１は、エレベータ１の停止可能階床を制限せず、通常運転と同等の運転を行う。
【００３２】
そして、運転制御装置１１は、停電時運転可能最低時間経過後でかつ建物側バッテリ１０２の残存蓄電量が運転可能蓄電量以上である場合に、停電時運転を、停電時制限無し運転から停電時制限有り運転に切り替える。すなわち、この場合、運転制御装置１１は、定格速度でエレベータ１を運転すると共に、エレベータ１の停止可能階床を制限し、通常運転、停電時制限無し運転と比較して制限された運転を行う。この場合、運転制御装置１１は、例えば、予め設定された停止禁止階にはカゴ２を停止させないようにする。ここでは、運転制御装置１１は、停電時制限有り運転では、例えば、停止可能階床以外の階床（停止禁止階）へのカゴ呼び、停止可能階床以外の階床での乗場呼び、及び、停止可能階床での所定方向以外の乗場呼びを無効とする。運転制御装置１１は、例えば、停止可能階床での所定方向以外の乗場呼びとして、基準階方向以外の乗場呼びを無効とする。このようにして、運転制御装置１１は、通常運転、停電時制限無し運転と比較して制限された停電時制限有り運転を行う。
【００３３】
ここで、上記基準階とは、このエレベータ１におけるサービスの基準となる階床であり、例えば、エントランス等が存在するロビー階等である。停止可能階床、及び、停止禁止階は、予め設定されてもよいし、防災センタや管理人室の監視装置から任意に設定できるようにしてもよい。例えば、建物１００が高層の建築物である場合、停止可能階床は、高層階に設定され、停止禁止階は、基準階（例えば、１階）を除いた低層階に設定されてもよい。
【００３４】
この結果、このエレベータシステム１Ａは、動力用電源５０が停電しても、建物側バッテリ１０２の電力によって停電時制限無し運転を行うことで、エレベータ１において定格速度で通常運転と同様のサービスを継続することができる。そして、エレベータシステム１Ａは、動力用電源５０が停電した後、停電時運転可能最低時間が経過すると、建物側バッテリ１０２の残存蓄電量が運転可能蓄電量以上である場合には、エレベータ１を停電時制限無し運転から停電時制限有り運転に切り替える。これにより、エレベータシステム１Ａは、動力用電源５０が停電している状態で、建物側バッテリ１０２の電力によって停電時制限有り運転を行うことで、停止可能階床をサービス性が優先される階床（例えば、高層階）に制限してサービスを継続することができる。したがって、エレベータシステム１Ａは、動力用電源５０の停電時においても、階段を利用しての移動が大変になる高層階等の階床へのサービス性を可能な限り損なわないような運転を実現することができる。よって、エレベータシステム１Ａは、停電時の運転を適正に行うことができる。
【００３５】
またさらに、本実施形態の運転制御装置１１は、動力用電源５０の停電状態において、上記建物側バッテリ１０２の残存蓄電量が運転可能蓄電量未満となった際に、建物側バッテリ１０２によって停電時継続運転を実行可能である。
【００３６】
ここで、停電時継続運転とは、通常運転や停電時運転とは異なる運転であり、動力用電源５０の停電時の運転である。停電時継続運転とは、動力用電源５０の停電時にエレベータ側バッテリ１２からの電力によってエレベータ１を定格速度より低速で運転する運転である。これにより、エレベータ１は、停電時継続運転において、通常運転や停電時運転の場合と比較して、電動機５ｃの負荷を抑制し、電力使用量を抑制してカゴ２の昇降を継続することができる。
【００３７】
より詳細には、制御装置１０の運転制御装置１１は、停電時継続運転として、停電時継続制限無し運転と、停電時継続制限有り運転とを切り替えて実行可能である。停電時継続制限無し運転とは、動力用電源５０の停電時に、建物側バッテリ１０２の残存蓄電量が運転可能蓄電量未満となった後、停電時継続運転可能最低時間経過前の期間に停止可能階床を制限しないで運転を行うものである。一方、停電時継続制限有り運転とは、停電時継続運転可能最低時間経過後でかつエレベータ側バッテリ１２の残存蓄電量が運転可能蓄電量以上である場合に停電時継続制限無し運転と比較してエレベータ１の停止可能階床を制限して運転するものである。
【００３８】
ここで、停電時継続運転可能最低時間とは、建物側バッテリ１０２の残存蓄電量が運転可能蓄電量未満となった時のエレベータ側バッテリ１２の残存蓄電量に基づいた時間である。停電時継続運転可能最低時間とは、建物側バッテリ１０２の残存蓄電量が運転可能蓄電量未満となった時のエレベータ側バッテリ１２の残存蓄電量によって、定格速度より低速で全ての階床を停止可能階床として運転を継続することができる最低限の時間に相当する。運転制御装置１１は、典型的には、建物側バッテリ１０２の残存蓄電量が運転可能蓄電量未満となった時のエレベータ側バッテリ１２の残存蓄電量と、エレベータ１の停電時継続制限無し運転での消費電力量とに基づいて停電時継続運転可能最低時間を算出することができる。この場合、運転制御装置１１は、例えば、建物側バッテリ１０２の残存蓄電量が運転可能蓄電量未満となった時点で、エレベータ側バッテリ１２の電流計１２ａ、電圧計１２ｂから電源制御装置１３等を介して検出結果を受信する。そして、運転制御装置１１は、当該検出結果に基づいて、エレベータ側バッテリ１２の電流値、電圧値からエレベータ側バッテリ１２の残存蓄電量を算出する。エレベータ１の停電時継続制限無し運転での消費電力量は、予め実験等に応じて算出しておき、運転制御装置１１の記憶部に記憶しておけばよい。運転制御装置１１は、例えば、停電時継続制限無し運転を実行した場合に、エレベータ側バッテリ１２の残存蓄電量が予め設定される所定パーセンテージになるまでの時間を、停電時継続運転可能最低時間として算出する。当該所定パーセンテージは、例えば、エレベータ側バッテリ１２が満充電である状態を１００％とした場合に、運転可能蓄電量に対してマージン等を踏まえて設定されるパーセンテージである。また、上記運転可能蓄電量とは、上記と同様に、残存蓄電量に対して設定される蓄電量であり、例えば、実験等に応じて予め設定される。
【００３９】
運転制御装置１１は、動力用電源５０が停電した後、停電時運転で建物側バッテリ１０２の残存蓄電量が運転可能蓄電量未満となった場合、電源制御装置１３の制御により電源系統が切り替えられて、停電時運転から停電時継続運転に切り替える。このとき、運転制御装置１１は、上述のように停電時継続運転可能最低時間を算出し、停電時継続運転可能最低時間経過前の期間においては、定格速度より低速で停電時継続制限無し運転を行う。すなわち、この場合、運転制御装置１１は、エレベータ１の停止可能階床を制限せずに運転を行う。
【００４０】
そして、運転制御装置１１は、停電時継続運転可能最低時間経過後でかつエレベータ側バッテリ１２の残存蓄電量が運転可能蓄電量以上である場合に、停電時継続運転を、停電時継続制限無し運転から停電時継続制限有り運転に切り替える。すなわち、この場合、運転制御装置１１は、定格速度より低速でエレベータ１を運転すると共に、エレベータ１の停止可能階床を制限し、停電時継続制限無し運転と比較して制限された運転を行う。この場合、運転制御装置１１は、例えば、予め設定された停止禁止階にはカゴ２を停止させないようにする。ここでは、運転制御装置１１は、停電時継続制限有り運転では、停電時制限有り運転と同様に、例えば、停止可能階床以外の階床（停止禁止階）へのカゴ呼び、停止可能階床以外の階床での乗場呼び、及び、停止可能階床での所定方向以外の乗場呼びを無効とする。このときの停止可能階床、及び、停止禁止階は、停電時制限有り運転の場合と同様の階床に設定されてもよいし、停電時制限有り運転の場合とは異なる階床に設定されてもよい。このようにして、運転制御装置１１は、停電時継続制限無し運転と比較して、さらに制限された停電時継続制限有り運転を行う。
【００４１】
このエレベータシステム１Ａは、動力用電源５０が停電した後、停電時運転で建物側バッテリ１０２の残存蓄電量が運転可能蓄電量未満となった場合でも、エレベータ側バッテリ１２の電力によって停電時継続制限無し運転を行う。この結果、このエレベータシステム１Ａは、エレベータ１において定格速度より低速であるものの、全階床を停止可能階床としてサービスを継続することができる。そして、エレベータシステム１Ａは、停電時継続運転可能最低時間が経過すると、エレベータ側バッテリ１２の残存蓄電量が運転可能蓄電量以上である場合には、エレベータ１を停電時継続制限無し運転から停電時継続制限有り運転に切り替える。これにより、エレベータシステム１Ａは、エレベータ側バッテリ１２の電力によって停電時継続制限有り運転を行うことで、停止可能階床をサービス性が優先される階床（例えば、高層階）に制限してサービスを継続することができる。したがって、エレベータシステム１Ａは、動力用電源５０の停電後、建物側バッテリ１０２の残存蓄電量がなくなった場合でも、階段を利用しての移動が大変になる高層階等の階床へのサービス性を可能な限り損なわないような運転を実現することができる。この結果、エレベータシステム１Ａは、動力用電源５０の停電時に、建物側バッテリ１０２の電力、及び、エレベータ側バッテリ１２の電力を計画的に利用し、停電時の運転を適正に行うことができる。
【００４２】
一例として、エレベータシステム１Ａは、例えば、図２に例示するように、通常運転、停電時運転、及び、停電時継続運転を使い分けることができる。図２の例では、エレベータシステム１Ａは、通常運転においては、動力用電源５０や建物側バッテリ１０２を用いて、定格速度で全階床（ここでは１階から９階）を停止可能階床（サービス階）としてエレベータ１の運転を行う。この場合、エレベータシステム１Ａは、全階床へのカゴ呼び、全階床での乗場呼びを有効とする。また、エレベータシステム１Ａは、停電時運転の停電時制限無し運転においては、建物側バッテリ１０２を用いて、定格速度で全階床（ここでは１階から９階）を停止可能階床としてエレベータ１の運転を行う。この場合も、エレベータシステム１Ａは、全階床へのカゴ呼び、全階床での乗場呼びを有効とする。一方、エレベータシステム１Ａは、停電時運転の停電時制限有り運転においては、建物側バッテリ１０２を用いて、定格速度で停止可能階床を制限してエレベータ１の運転を行う。この場合、エレベータシステム１Ａは、停止可能階床以外の階床（ここでは、２階から５階）へのカゴ呼び、停止可能階床以外の階床での乗場呼び、及び、停止可能階床での所定方向（ここでは基準階である１階に向う方向）以外の乗場呼びを無効とする。さらに、エレベータシステム１Ａは、停電時継続運転の停電時継続制限無し運転においては、エレベータ側バッテリ１２を用いて、定格速度より低速で全階床（ここでは１階から９階）を停止可能階床としてエレベータ１の運転を行う。この場合、エレベータシステム１Ａは、全階床へのカゴ呼び、全階床での乗場呼びを有効とする。一方、エレベータシステム１Ａは、停電時継続運転の停電時継続制限有り運転においては、エレベータ側バッテリ１２を用いて、定格速度より低速で停止可能階床を制限してエレベータ１の運転を行う。この場合、エレベータシステム１Ａは、停止可能階床以外の階床（ここでは、２階から５階）へのカゴ呼び、停止可能階床以外の階床での乗場呼び、及び、停止可能階床での所定方向（ここでは基準階である１階に向う方向）以外の乗場呼びを無効とする。
【００４３】
次に、図３のフローチャートを参照して制御装置１０による制御の一例、ここでは、動力用電源５０の停電時の制御の一例を説明する。なお、これらの制御ルーチンは、数ｍｓないし数十ｍｓ毎の制御周期で繰り返し実行される。
【００４４】
まず、制御装置１０の電源制御装置１３は、動力用電源５０の作動状態に基づいて、動力用電源５０が停電したか否かを判定する（ステップＳＴ１）。制御装置１０は、電源制御装置１３により動力用電源５０が健全であると判定された場合（ステップＳＴ１：Ｎｏ）、現在の制御周期を終了し、次の制御周期に移行する。
【００４５】
制御装置１０の運転制御装置１１は、電源制御装置１３により動力用電源５０の停電が復旧したと判定された場合（ステップＳＴ１：Ｙｅｓ）、停電時運転可能最低時間を算出する（ステップＳＴ２）。この場合、運転制御装置１１は、建物側バッテリ１０２の電流計１０２ａ、電圧計１０２ｂから電源制御装置１３等を介して検出結果を受信し、建物側バッテリ１０２の残存蓄電量等に基づいて停電時運転可能最低時間を算出する。
【００４６】
次に、運転制御装置１１は、電源制御装置１３の制御により電源系統を切り替えて、通常運転から建物側バッテリ１０２を用いた停電時制限無し運転に切り替える（ステップＳＴ３）。
【００４７】
次に、運転制御装置１１は、動力用電源５０の停電後、ステップＳＴ３で算出した停電時運転可能最低時間が経過したか否かを判定する（ステップＳＴ４）。運転制御装置１１は、停電時運転可能最低時間が経過していないと判定した場合（ステップＳＴ４：Ｎｏ）、ステップＳＴ３の処理に移行し、以降の処理を繰り返し実行する。
【００４８】
運転制御装置１１は、停電時運転可能最低時間が経過したと判定した場合（ステップＳＴ４：Ｙｅｓ）、建物側バッテリ１０２の残存蓄電量が運転可能蓄電量以上であるか否かを判定する（ステップＳＴ５）。この場合、運転制御装置１１は、再度、建物側バッテリ１０２の電流計１０２ａ、電圧計１０２ｂから電源制御装置１３等を介して検出結果を受信し、建物側バッテリ１０２の残存蓄電量を算出する。
【００４９】
運転制御装置１１は、建物側バッテリ１０２の残存蓄電量が運転可能蓄電量以上であると判定した場合（ステップＳＴ５：Ｙｅｓ）、停電時制限無し運転から停電時制限有り運転に切り替える（ステップＳＴ６）。その後、運転制御装置１１は、ステップＳＴ５の処理に移行し、以降の処理を繰り返し実行する。
【００５０】
運転制御装置１１は、建物側バッテリ１０２の残存蓄電量が運転可能蓄電量未満であると判定した場合（ステップＳＴ５：Ｎｏ）、停電時継続運転可能最低時間を算出する（ステップＳＴ７）。この場合、運転制御装置１１は、エレベータ側バッテリ１２の電流計１２ａ、電圧計１２ｂから電源制御装置１３等を介して検出結果を受信し、エレベータ側バッテリ１２の残存蓄電量等に基づいて停電時継続運転可能最低時間を算出する。
【００５１】
次に、運転制御装置１１は、電源制御装置１３の制御により電源系統を切り替えて、建物側バッテリ１０２を用いた停電時運転からエレベータ側バッテリ１２を用いた停電時継続制限無し運転に切り替える（ステップＳＴ８）。
【００５２】
次に、運転制御装置１１は、建物側バッテリ１０２の残存蓄電量が運転可能蓄電量未満になった後、ステップＳＴ７で算出した停電時継続運転可能最低時間が経過したか否かを判定する（ステップＳＴ９）。運転制御装置１１は、停電時継続運転可能最低時間が経過していないと判定した場合（ステップＳＴ９：Ｎｏ）、ステップＳＴ８の処理に移行し、以降の処理を繰り返し実行する。
【００５３】
運転制御装置１１は、停電時継続運転可能最低時間が経過したと判定した場合（ステップＳＴ９：Ｙｅｓ）、エレベータ側バッテリ１２の残存蓄電量が運転可能蓄電量以上であるか否かを判定する（ステップＳＴ１０）。この場合、運転制御装置１１は、再度、エレベータ側バッテリ１２の電流計１２ａ、電圧計１２ｂから電源制御装置１３等を介して検出結果を受信し、エレベータ側バッテリ１２の残存蓄電量を算出する。
【００５４】
運転制御装置１１は、エレベータ側バッテリ１２の残存蓄電量が運転可能蓄電量以上であると判定した場合（ステップＳＴ１０：Ｙｅｓ）、停電時継続制限無し運転から停電時継続制限有り運転に切り替える（ステップＳＴ１１）。その後、運転制御装置１１は、ステップＳＴ１０の処理に移行し、以降の処理を繰り返し実行する。
【００５５】
運転制御装置１１は、エレベータ側バッテリ１２の残存蓄電量が運転可能蓄電量未満であると判定した場合（ステップＳＴ１０：Ｎｏ）、カゴ２を最寄階に停止させ停電時継続運転を終了し、現在の制御周期を終了して、次の制御周期に移行する。
【００５６】
運転制御装置１１は、動力用電源５０が停電から復旧した場合には、電源制御装置１３の制御により電源系統を切り替えて、エレベータ１を通常運転に復帰させる。
【００５７】
なお、上述の制御装置１０は、動力用電源５０の停電後から建物側バッテリ１０２を用いた停電時運転が作動するまでの期間にエレベータ側バッテリ１２を用いた停電時継続運転を実行可能である。例えば、上述のエレベータシステム１Ａは、動力用電源５０が停電した後、停電時運転可能最低時間を算出するために一定時間を要する場合がある。この場合、制御装置１０は、動力用電源５０の停電の直後は、一旦、エレベータ側バッテリ１２を用いて停電時継続制限無し運転を行い、停電時運転可能最低時間の算出完了後に建物側バッテリ１０２を用いた停電時制限無し運転を行うようにしてもよい。これにより、エレベータシステム１Ａは、動力用電源５０の停電の直後もすぐにサービスを継続することができる。
【００５８】
また、エレベータシステム１Ａは、上述の停電時制限有り運転、停電時継続制限有り運転の際に、車椅子利用者等の特定の利用者に対する停止禁止階へのサービスを許容することもできる。この場合、エレベータシステム１Ａは、例えば、カゴ２内や乗場６にＩＤカード等の識別情報を読み取ることができる読取装置を備える。そして、エレベータシステム１Ａは、車椅子利用者等が、自身の識別情報や目的階等が書き込まれたＩＤカードの識別情報を当該読取装置に読み取らせることで、目的階が停止禁止階であってもカゴ２の当該停止禁止階への停止を許容するようにする。これにより、エレベータシステム１Ａは、停電時制限有り運転や停電時継続制限有り運転の最中であっても、車椅子利用者等の特定の利用者に対するサービス性を適正に確保することができる。
【００５９】
以上で説明したエレベータシステム１Ａは、エレベータ１と、制御装置１０とを備える。エレベータ１は、動力用電源５０からの電力と、建物１００の電気設備１０１を作動させる電力を蓄電可能である建物側バッテリ１０２からの電力とによって運転可能である。制御装置１０は、動力用電源５０の健全時にエレベータ１を定格速度で運転する通常運転と、動力用電源５０の停電時に建物側バッテリ１０２からの電力によってエレベータ１を定格速度で運転する停電時運転とを切り替えて実行可能である。制御装置１０は、停電時運転として、停電時制限無し運転と停電時制限有り運転とを切り替えて実行可能である。停電時制限無し運転は、動力用電源５０が停電した後、当該動力用電源５０の停電時の建物側バッテリ１０２の残存蓄電量に基づいた停電時運転可能最低時間経過前の期間に通常運転と同等の運転を行うものである。停電時制限有り運転は、停電時運転可能最低時間経過後でかつ建物側バッテリ１０２の残存蓄電量が運転可能蓄電量以上である場合に停電時制限無し運転と比較してエレベータ１の停止可能階床を制限して運転するものである。したがって、エレベータシステム１Ａは、動力用電源５０が停電した場合であっても、建物側バッテリ１０２の電力を用いて停電時の運転を適正に行うことができる。
【００６０】
なお、上述した実施形態に係るエレベータシステムは、上述した実施形態に限定されず、特許請求の範囲に記載された範囲で種々の変更が可能である。
【００６１】
以上で説明したエレベータシステムは、停電時継続運転装置を構成するエレベータ側蓄電装置（エレベータ側バッテリ１２）を備えるものとして説明したがこれに限らない。
【００６２】
以上で説明した実施形態、変形例に係るエレベータシステムによれば、停電時の運転を適正に行うことができる。
【００６３】
本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６４】
１Ａ    エレベータシステム
１    エレベータ
２    カゴ
３    カウンタウェイト
４    メインロープ
５    巻上機
６    乗場
７    昇降路
８    カゴ呼び登録装置
９    乗場呼び登録装置
１０    制御装置
１１    運転制御装置
１２    エレベータ側バッテリ（エレベータ側蓄電装置）
１３    電源制御装置
１４    扉
５０    動力用電源
１００    建物
１０１    電気設備
１０２    建物側バッテリ（建物側蓄電装置）
【図１】
2015013735.tif 000003
【図２】
2015013735.tif 000004
【図３】
2015013735.tif 000005
【手続補正書】
【提出日】平成26年8月8日(2014.8.8)
【手続補正１】
【補正対象書類名】特許請求の範囲
【補正対象項目名】全文
【補正方法】変更
【補正の内容】
【特許請求の範囲】
【請求項１】
動力用電源からの電力と、建物の電気設備を作動させる電力を蓄電可能である建物側蓄電装置からの電力とによって運転可能であるエレベータと、前記動力用電源の健全時に前記エレベータを定格速度で運転する通常運転と、前記動力用電源の停電時に前記建物側蓄電装置からの電力によって前記エレベータを定格速度で運転する停電時運転とを切り替えて実行可能である制御装置とを備え、前記制御装置は、前記停電時運転として、前記動力用電源が停電した後、当該動力用電源の停電時の前記建物側蓄電装置の残存蓄電量に基づいた停電時運転可能最低時間経過前の期間に前記通常運転と同等の運転を行う停電時制限無し運転と、前記停電時運転可能最低時間経過後でかつ前記建物側蓄電装置の残存蓄電量が運転可能蓄電量以上である場合に前記停電時制限無し運転と比較して前記エレベータの停止可能階床を制限して運転する停電時制限有り運転とを切り替えて実行可能であり、さらに、前記動力用電源の停電時に、前記建物側蓄電装置とは別に設けられ前記エレベータを作動させる電力を蓄電可能であるエレベータ側蓄電装置からの電力によって当該エレベータを定格速度より低速で運転する停電時継続運転を実行可能であり、前記停電時継続運転として、前記建物側蓄電装置の残存蓄電量が運転可能蓄電量未満となった後、当該建物側蓄電装置の残存蓄電量が運転可能蓄電量未満となった時の前記エレベータ側蓄電装置の残存蓄電量に基づいた停電時継続運転可能最低時間経過前の期間に停止可能階床を制限しないで運転する停電時継続制限無し運転と、前記停電時継続運転可能最低時間経過後でかつ前記エレベータ側蓄電装置の残存蓄電量が運転可能蓄電量以上である場合に前記停電時継続制限無し運転と比較して前記エレベータの停止可能階床を制限して運転する停電時継続制限有り運転とを切り替えて実行可能であることを特徴とする、エレベータシステム。
【請求項２】
前記制御装置は、前記動力用電源の停電時の前記建物側蓄電装置の残存蓄電量と、当該動力用電源の停電後に予測される前記建物の電気設備での消費電力量と、前記エレベータの前記停電時制限無し運転での消費電力量とに基づいて前記停電時運転可能最低時間を算出する、請求項１に記載のエレベータシステム。
【請求項３】
前記制御装置は、前記停電時制限有り運転では、前記停止可能階床以外へのカゴ呼び、前記停止可能階床以外での乗場呼び、及び、前記停止可能階床での所定方向以外の乗場呼びを無効とする、請求項１又は請求項２に記載のエレベータシステム。
【請求項４】
前記制御装置は、前記動力用電源の停電後から前記停電時運転が作動するまでの期間に前記停電時継続運転を実行可能である、請求項１乃至請求項３のいずれか１項に記載のエレベータシステム。
【手続補正２】
【補正対象書類名】明細書
【補正対象項目名】０００５
【補正方法】変更
【補正の内容】
【０００５】
実施形態のエレベータシステムは、エレベータと、制御装置とを備える。エレベータは、動力用電源からの電力と、建物の電気設備を作動させる電力を蓄電可能である建物側蓄電装置からの電力とによって運転可能である。制御装置は、前記動力用電源の健全時に前記エレベータを定格速度で運転する通常運転と、前記動力用電源の停電時に前記建物側蓄電装置からの電力によって前記エレベータを定格速度で運転する停電時運転とを切り替えて実行可能である。前記制御装置は、前記停電時運転として、停電時制限無し運転と停電時制限有り運転とを切り替えて実行可能である。停電時制限無し運転は、前記動力用電源が停電した後、当該動力用電源の停電時の前記建物側蓄電装置の残存蓄電量に基づいた停電時運転可能最低時間経過前の期間に前記通常運転と同等の運転を行うものである。停電時制限有り運転は、前記停電時運転可能最低時間経過後でかつ前記建物側蓄電装置の残存蓄電量が運転可能蓄電量以上である場合に前記停電時制限無し運転と比較して前記エレベータの停止可能階床を制限して運転するものである。さらに、前記制御装置は、前記動力用電源の停電時に、前記建物側蓄電装置とは別に設けられ前記エレベータを作動させる電力を蓄電可能であるエレベータ側蓄電装置からの電力によって当該エレベータを定格速度より低速で運転する停電時継続運転を実行可能である。前記制御装置は、前記停電時継続運転として、前記建物側蓄電装置の残存蓄電量が運転可能蓄電量未満となった後、当該建物側蓄電装置の残存蓄電量が運転可能蓄電量未満となった時の前記エレベータ側蓄電装置の残存蓄電量に基づいた停電時継続運転可能最低時間経過前の期間に停止可能階床を制限しないで運転する停電時継続制限無し運転と、前記停電時継続運転可能最低時間経過後でかつ前記エレベータ側蓄電装置の残存蓄電量が運転可能蓄電量以上である場合に前記停電時継続制限無し運転と比較して前記エレベータの停止可能階床を制限して運転する停電時継続制限有り運転とを切り替えて実行可能である。
【手続補正３】
【補正対象書類名】明細書
【補正対象項目名】００３５
【補正方法】変更
【補正の内容】
【００３５】
またさらに、本実施形態の運転制御装置１１は、動力用電源５０の停電状態において、上記建物側バッテリ１０２の残存蓄電量が運転可能蓄電量未満となった際に、エレベータ側バッテリ１２によって停電時継続運転を実行可能である。